(57)【要約】【課題】撮像画像の歪みを防ぎつつ、車椅子を使う人、車椅子を使わない人の両者が何の弊害も無く容易に利用することができ、これにより効率的な運用を可能とする。【解決手段】利用者をカメラ１０２で撮像して該撮像画像をプリンタ１０７でプリントアウトして出力する証明写真機１００において、利用者とカメラ１０２との間に利用者からの光を反射して上記カメラ１０２に導く反射ミラー１０３を配設するとともに、この反射ミラー１０３とカメラ１０２とを同一のユニットであるカメラブロック１０００上に配設し、上記カメラブロック１０００を利用者の位置に応じて上下動させるカメラブロック移動制御部１０６を設ける。【選択図】　図３
2004053660.tif 000002
【特許請求の範囲】
【請求項１】
被写体をカメラで撮像して該撮像画像をプリンタでプリントアウトして出力する自動撮像装置において、
前記被写体と前記カメラとの間に前記被写体からの光を反射して前記カメラに導くミラーを配設するとともに、
前記ミラーと前記カメラとを同一のユニット上に配設し、
前記ユニットを被写体の位置に応じて上下動させる移動制御手段を設けた
ことを特徴とする自動撮像装置。
【請求項２】
前記ユニット上の前記カメラの近傍に前記被写体撮像に際しての該被写体の目線を誘導する発光素子を設けた
ことを特徴とする請求項１記載の自動撮像装置。
【請求項３】
前記プリンタヘ前記カメラで撮像した画像とともに、前記被写体の特定情報を書き込むラベル情報を出力するラベル情報出力手段を設け、
前記プリンタは、前記カメラで撮像した前記被写体の画像と前記ラベル情報との合成画像をプリントアウトする
ことを特徴とする請求項１記載の自動撮像装置。
【請求項４】
前記移動制御手段は、
前記ユニットの上または下への移動の指示を入力する指示入力手段と、
前記指示入力手段による上または下への移動の指示に基づき前記ユニットを上または下へ駆動する駆動手段と
を具備することを特徴とする請求項１記載の自動撮像装置。
【発明の詳細な説明】
【０００１】
【発明の属する技術分野】
本発明は、被写体をカメラで撮像して該撮像画像をプリンタでプリントアウトして出力する自動撮像装置に関し、特に、撮像画像の歪みを防ぎつつ、車椅子を使う人、車椅子を使わない人の両者が何の弊害も無く容易に利用することができ、これにより効率的な運用を可能とした自動撮像装置に関するものである。
【０００２】
【従来の技術】
従来、この種の自動撮像装置においては、被写体（以下、利用者と言う。）が座る椅子部に高さ調整機能が具わっている。
【０００３】
そして、利用者は、この高さ調整機能を用いて自身がカメラ撮影枠に適切におさまるように座高調整を行なっている。
【０００４】
ところで、従来の自動撮像装置においては、足が不自由で車椅子を使う障害者が撮影することができるものがほとんど無いのが現状である。
【０００５】
かといって、単に、車椅子を使う人専用に椅子を取り外し車椅子のスペースを確保したような自動撮像装置を提供するのでは、車椅子を使わない健常者が利用できなくなってしまい効率的な運用が行えない。
【０００６】
尚、近年の自動撮像装置では、椅子部に高さ調整機能を具えずに、カメラ部の高さを調整する機能を具えたものがあるが、これは、カメラ部単体のみの高さを調整するものである。
【０００７】
また、従来の自動撮像装置では、設置スペースの関係で、カメラと被写体の撮影距離が近すぎ、これにより撮像画像の歪みが生じている。
【０００８】
【発明が解決しようとする課題】
上述の如く、従来にあっては、車椅子を使う障害者が撮影することが可能な自動撮像装置がほとんど無い。また、単に、車椅子を使う人専用に椅子を取り外し車椅子のスペースを確保したような自動撮像装置を提供するのでは、車椅子を使わない健常者が利用できなくなってしまい効率的な運用が行えないという不都合がある。
【０００９】
そこで、本発明は上記実情を鑑み、撮像画像の歪みを防ぎつつ、車椅子を使う人、車椅子を使わない人の両者が何の弊害も無く容易に利用することができ、これにより効率的な運用が可能な自動撮像装置の提供を目的とする。
【００１０】
【課題を解決するための手段】
上記目的を達成するために、請求項１の発明は、被写体をカメラで撮像して該撮像画像をプリンタでプリントアウトして出力する自動撮像装置において、前記被写体と前記カメラとの間に前記被写体からの光を反射して前記カメラに導くミラーを配設するとともに、前記ミラーと前記カメラとを同一のユニット上に配設し、前記ユニットを被写体の位置に応じて上下動させる移動制御手段を設けたことを特徴とする。
【００１１】
また、請求項２の発明は、請求項１の発明において、前記ユニット上の前記カメラの近傍に前記被写体撮像に際しての該被写体の目線を誘導する発光素子を設けたことを特徴とする。
【００１２】
また、請求項３の発明は、請求項１の発明において、前記プリンタヘ前記カメラで撮像した画像とともに、前記被写体の特定情報を書き込むラベル情報を出力するラベル情報出力手段を設け、前記プリンタは、前記カメラで撮像した前記被写体の画像と前記ラベル情報との合成画像をプリントアウトすることを特徴とする。
【００１３】
また、請求項４の発明は、請求項１の発明において、前記移動制御手段は、前記ユニットの上または下への移動の指示を入力する指示入力手段と、前記指示入力手段による上または下への移動の指示に基づき前記ユニットを上または下へ駆動する駆動手段とを具備することを特徴とする。
【００１４】
【発明の実施の形態】
以下、本発明の実施形態について添付図面を参照して詳細に説明する。
【００１５】
図１は、本発明に係わる自動撮像装置を適用した証明写真機１００の一構成例を示す図である。尚、この証明写真機は、病院等の建物内部に設置され、足の不自由な患者さんや、その他の患者さんが病院内で使用するカルテ等に貼る患者さんご確認用証明写真（図８参照）を自動撮像／プリントアウトする為のものである。
【００１６】
図１において、この証明写真機１００は、被写体（以下、「利用者」と言う。）を自動撮像し、該撮像画像をプリントアウトして出力する２台の撮像装置（Ａ）、（Ｂ）をそれぞれの撮像方向が互いに反対方向を向くようにして同一の筐体１内に収納した構成を採っている。
【００１７】
そして、この実施例では、撮像装置本体収納筐体１の利用者と向かい合う面（Ｘ）側には、操作部１１と、アナウンス部１２と、紙幣投入口１３と、返却レバー１４と、硬化投入口１５と、プリント写真取り出し口１６と、釣銭取り出し口１７と、ハーフミラー１８と、照明部１９とが具わる。
【００１８】
ここで、操作部１１は、利用者がこの証明写真機１００で証明写真を撮って写真をプリントアウトするまでの各種操作を入力する為のものである。具体的には、図示していないが、利用開始ボタンや、カメラ位置調整ボタンや、撮影開始ボタンや、印刷実行ボタンや、画像編集ボタン等を具えている。また、アナウンス部１２は、スピーカ等を用いて利用者に対して利用処理工程における各種操作指示を行なう。また、紙幣投入口１３及び硬化投入口１５は、利用者が利用料金を支払う為の現金を投入する投入口である。また、返却レバー１４は、利用者が利用を中止して投入した現金を返却する場合に用いられるレバーである。また、プリント写真取り出し口１６は、撮像した画像をプリントした写真を利用者が取り出すための取出口である。また、釣銭取り出し口１７は、釣銭を利用者に払い出す払出口である。また、ハーフミラー１８は、反射皮膜が形成され、被写体と図示しない筐体１内部のカメラとの間に反射光を被写体に返すと共に、透過光をカメラに導く為のミラーである。この為、利用者は、このハーフミラー１８の反射光から自己の像を把握することができる。また、照明部１９は、利用者に光を照らすものであり、例えば、ＨＩＤ（ＨＩＧＨ　ＩＮＴＥＮＳＩＴＹ　ＤＩＳＣＨＡＲＧＥ）ランプを採用する。このＨＩＤランプは、発光効率が高く、かつ、発光色（光の色）が、限りなく太陽光に近い純白色で目に優しく視認性が大幅に向上するものである。
【００１９】
また、上記利用者と向かい合う面（Ｘ）と面対象の位置に、利用者が撮像時に腰掛ける椅子部と、この椅子部に腰掛けたまま利用者が各種操作を行なう為の操作部等を具えた椅子機構部２０が具わる。
【００２０】
具体的に、この椅子機構部２０は、同図１に示すように、上記筐体１の面（Ｘ）に支持されたアーム部及び回動軸支持ベース部と、それらアーム部及び回動軸支持ベース部それぞれの間に連結された回動軸部とからコの字上に形成されたコの字部分に対して出し入れ自在の椅子部が上記回動軸部を軸として回動自在になるように取り付けられている。そして、上記アーム部には、上記筐体１の面（Ｘ）に具わる操作部１１と同じ機能を有する操作部２１が具わる。尚、特に図示しないが、操作部２１に電気的に接続された信号線がアーム部内を介して筐体１内部の制御装置（後述の図３参照）まで配設され、この制御装置に電気的に接続されるようになっている。また、同図１では、椅子部の座面部を床に対して支持する脚ベースにキャスター（タイヤ）を具えた場合を示しているが、これに限らず、その他の脚ベース構成であっても良い。即ち、利用者が座った時に床との間で椅子部が安定に支持され、且つ使用しない場合に、コの時部分に収納できるものであれば良い。更に、上記椅子部の座面部の床からの高さは、好ましくは車椅子の高さに合わせる。
【００２１】
また、上記利用者と向かい合う面（Ｘ）側の上部には、屋根部３０と、この屋根部３０のカーテンレールに沿ってカーテン３１が具え付けられている。屋根部３０は、利用者の背景画像となり、且つ撮像時の明るさを調整する為のカーテン３１を吊るす為の屋根である。尚、この実施例では、屋根部３０には子供などがぶら下がるのを未然に防ぐ為に弾性体（バネ等）を用いたぶら下がり抑止部が取り付けられている。
【００２２】
上記実施例では、操作部を筐体１側と椅子機構部２０側の両方に設けるように示したが、いずれか一方のみに設けるようにしても良い。
【００２３】
尚、上記椅子機構部２０の椅子部は、使用されていない待機状態時に予めコの字部分に収納されるようにしておき、利用者が利用する場合に出して利用される利用形態と、或いは、使用されていない待機状態時に出した状態にしておき、足が不自由でない利用者がそのまま腰掛けて利用し、他方、足の不自由な利用者がコの字部分に収納して利用される利用形態が採られる。
【００２４】
図２は、上記図１に示した証明写真機１００を上方部（写真機が設置される建物の天井側）から見た様子を示す図である。尚、この図２は、１つの筐体１内に収納された２つの撮像装置（Ａ）及び撮像装置（Ｂ）のそれぞれに対応して具えられた椅子機構部２０の利用方法を示している。
【００２５】
図２において、足が特に不自由でない利用者は、同図面２の向かって右側に示したように、椅子機構部２０の椅子部をコの字部分から引き出して利用する。
【００２６】
また、他方、足の不自由な利用者は、同図面２の向かって左側に示したように、椅子機構部２０の椅子部をコの字部分に収納して利用する。即ち、足の不自由な利用者は、椅子部を収納して空いたスペースに自己の車椅子Ａを移動させて所定の位置にて撮影を行なう。
【００２７】
尚、この例では、左側（撮像装置Ａ側）を足の不自由な利用者が利用する場合を示し、右側（撮像装置Ｂ側）を足が特に不自由でない利用者が利用する場合を示したが、これに限らず、この構成においては、両者ともにどちら側でも利用可能である。
【００２８】
このような構成により、足が不自由で車椅子を使う利用者でも容易に証明写真を撮ることができる。
【００２９】
また、上記実施例では、同図２に示す如く、撮像装置（Ａ）側と撮像装置（Ｂ）側にそれぞれ具わる椅子機構部２０が左右対称に設置されている。
【００３０】
即ち、撮像装置（Ｂ）側では、利用者が椅子に腰掛けた際、右手側に操作部２１がくるように設置されており、他方、撮像装置（Ａ）側では、利用者が椅子に腰掛けた際、左手側に操作部２１がくるように設置されている。
【００３１】
このような構成により、利用者は利き腕に合わせて各種操作を容易に行なえると共に、手に障害を持つ患者にとっては、利用可能な手に合わせて利用する撮像装置を選択することにより、各種操作を容易に行なえる。
【００３２】
図３は、上記図１及び図２に示した撮像装置本体収納筐体１の内部構成、即ち撮像装置（Ａ）及び（Ｂ）それぞれの内部構成を主に示す図である。尚、撮像装置（Ａ）及び撮像装置（Ｂ）は、それぞれ全く同じ機能構成を有するので、以下、片方の撮像装置（Ｂ）についてのみ説明する。
【００３３】
図３において、撮像装置（Ｂ）は、内部に、制御装置１０１と、カメラ１０２と、反射ミラー１０３と、発光素子（ＬＥＤ）１０４と、表示部（ＬＣＤ）１０５と、カメラブロック移動制御部１０６と、プリンタ１０７と、現金処理部１０８と、電源部１０９と、プラグ部１１０とを具えて構成される。
【００３４】
尚、上述の構成要素のうちカメラ１０２と、反射ミラー１０３と、ＬＥＤ１０４と、ＬＣＤ１０５とは、同一のユニットとなるカメラブロック１０００に配設されている。
【００３５】
ここで、制御装置１０１は、カメラ１０２や、プリンタ１０７等の撮像装置を構成する構成要素を制御し、撮像装置全体を統括的に制御する。カメラ１０２は、例えば、ディジタルカメラ等により構成され、利用者の身長によらず、利用者が椅子部に座った時に少なくとも頭部と胸部とを確実にカバーできるようにレンズの画角が調整されている。なお、同図３において、カメラ１０２は、ハーフミラー１８越しに直接利用者を撮像するのではなく、反射ミラー１０５を介して撮像する。反射ミラー１０５は、その反射角を利用することにより、カメラ１０２の撮影距離を通常の自動撮像装置に比べて大幅に長くすることを可能にしたもので、これにより、カメラと被写体との距離が近すぎることによって生じる撮像画像の歪みを防ぐことができる。ＬＥＤ１０４は、カメラ１０２の近傍に被写体撮像に際しての利用者の目線を誘導する発光を行なう。ＬＣＤ１０５は、ユーザインタフェース部１０による各種操作を誘導するためのガイド画面や、カメラ１０１で撮像された画像を表示する。カメラブロック移動制御部１０６は、カメラブロック１０００を利用者のカメラ位置調整操作に応じて上下動させる移動制御を行なう。プリンタ１０７は、カメラ１０１で撮像された画像を用紙に印刷し、写真として出力する。さらに、このプリンタ１０７は、ラミネート加工機能を有し、ラミネート加工専用の用紙を用いることで、表面をラミネート加工した写真をプリントアウトすることも可能である。現金処理部１０８は、利用者が利用代金を支払う為に投入した紙幣或いは硬化等の現金に係わる処理を行う。電源部１０９は、プラグ１１０を介して外部からの商用電源を撮像装置内部に供給する。
【００３６】
このように、全く同じ機能を有する２台の撮像装置（Ａ）、（Ｂ）をそれぞれの撮像方向が互いに反対方向を向くようにして同一の筐体１内に収納した構成を採ることにより、両側で撮影を行なえ、１つが故障しても他方が利用できる。また、従来のように、同じ証明写真機を２台並設するよりもスペースを小さくすることができる。
【００３７】
図４は、上記図３に示したカメラブロック１０００の上下動の移動に係わるカメラブロック移動機構部分を主に示した図である。
【００３８】
図４において、カメラブロック移動機構部分は、大きくは、カメラブロック昇降室（Ｙ）とカメラブロック機械室（Ｚ）とに分けて設置される。
【００３９】
そして、カメラブロック昇降室（Ｙ）の構成としては、カメラブロック１０００と、釣合い錘１００１と、ガイドレール１００２と、下端ロープ支持／張力制御部１００３と、ワイヤーロープ１００４ａ，１００４ｂと、ガイドローラユニット１００５とが具わる。
【００４０】
また、カメラブロック機械室（Ｚ）には、カメラブロック移動制御部１０６が具わる。　具体的には、カメラブロック昇降室（Ｙ）には、天井と床間の上下方向に所定の取付方法でガイドレール１００２が例えば直方体のカメラブロック１０００の４角に合わせて４本敷設される。そして、このガイドレール１００２に沿ってカメラブロック１０００が昇降される。
【００４１】
カメラブロック１０００には、所定の方法で第１のワイヤーロープ１００４ａが取り付けられて天井側から吊り下げられる。この第１のワイヤーロープ１００４ａはカメラブロック昇降室（Ｙ）の上方のカメラブロック機械室（Ｚ）内に設けられた第１のシーブ（メインシーブ）に巻きかけられ、カメラブロック１０００の重量を支持する際に発生する第１のワイヤーロープ１００４ａの張力の方向が反転され、さらにそらせシーブを経由して、もう一方の端部に所定の方法で釣合い錘１００１が取り付けられる。
【００４２】
この釣合い錘１００１は、カメラブロック１０００の重量に起因する第１のワイヤーロープ１００４ａの張力に略バランスする重量を備えている。カメラブロック機械室（Ｚ）に位置する第１のシーブは駆動手段としての巻上電動機の回転部に直結されており、この巻上電動機を駆動することによって、第１のシーブを介してカメラブロック１０００を昇降させるための張力を第１のワイヤーロープ１００４ａに付与する。
【００４３】
カメラブロック１０００には第２のワイヤーロープ１００４ｂの一端部が連結され、この第２のワイヤーロープ１００４のもう一方の端部は釣合い錘１００１に所定の方法で取り付けられて垂下している。この第２のワイヤーロープ１００４ｂの下方に位置する曲がり部は、第２のシーブ（コンペンシーブ）に巻きかけられ、第２のワイヤーロープの移動によって第２のシーブが回転するようになっている。第２のシーブには、上下方向に駆動され第２のワイヤーロープ１００４ｂに張力を付与する駆動手段としての下端ロープ支持／張力制御部１００３が設けられている。
【００４４】
この構成において、利用者のカメラ位置調整操作に応じてユーザインタフェース部１０から入力された信号により制御装置１０１がカメラブロック移動制御部１０６に指示を出す。そして、この指示に従ってカメラブロック移動制御部１０６が巻上電動機を駆動制御することにより、カメラブロック１０００が昇降され、該利用者の所望するカメラ位置までカメラブロック１０００が移動される。
【００４５】
尚、この実施例では、駆動源として巻き上げ電動機を用いた場合を示したが、これ以外に、例えば、リニアモータを駆動源とした構成を採っても良い。また、それら以外の構成でも良く、要は、カメラ、反射ミラーを少なくとも配設した上述のカメラブロックが利用者のカメラ位置調整操作に応じて昇降し、該利用者の所望するカメラ位置に該カメラブロックが移動可能な構成であれば良い。
【００４６】
図５は、上記図３に示した制御装置１０１の一構成例を示す機能ブロック図である。
【００４７】
図５において、この制御装置１０１は、カメラ制御部１０１−１と、ユーザインタフェース制御部１０１−２と、プリンタ制御部１０１−３と、画像処理部１０１−４と、ＲＡＭ１０１−５と、無修正情報生成部１０１−６と、カメラブロック移動制御インタフェース部１０１−７と、発光素子（ＬＥＤ）制御部１０１−８と、表示部（ＬＣＤ）制御部１０１−９と、課金制御部１０１−１０と、主制御部１０１−１１とを具えて構成される。
【００４８】
ここで、カメラ制御部１０１−１は、カメラ１０２の各種制御を行ない、特に、ユーザインタフェース制御部１０１−２にユーザインタフェース部１０から撮像を指示する信号が入力されると、入力された撮像指示信号に基づくタイミングでカメラ１０２を制御して撮像を行い、得られた撮像画像を画像処理部１０１−４に送出する。
【００４９】
ユーザインタフェース制御部１０１−２は、ユーザインタフェース部１０からの入力信号の処理や、表示部１０３、または操作部１１に具わる表示部に表示する画像の出力等を行なう。具体的には、利用者によって利用開始ボタンや、カメラ位置調整ボタンや、撮影開始ボタンや、印刷実行ボタンや、画像編集ボタン等が押下された場合に各入力信号の処理を行う。
【００５０】
プリンタ制御部１０１−３は、プリンタ１０７の各種制御を行なう。具体的には、ユーザインタフェース部１０から印刷する画像が指定されると、指定された画像をＲＡＭ１０１−５から取り出してプリンタ１０７に送出する。
【００５１】
画像処理部１０１−４は、カメラ制御部１０１−１から送出された撮像画像に対し、例えば、写真種別（パスポート、免許証、履歴書等）に応じて拡大縮小を行ったり所定のサイズに切り出したりといった各種画像処理を行う。また、無修正証明情報を記憶する。
【００５２】
尚、この画像処理部１０１−４で処理された画像は、ＲＡＭ１０１−５に一時的に格納されると同時に、ユーザインタフェース制御部１０１−２を介して表示部１０５等に表示される。これにより、利用者は、カメラ１０２で撮像された画像が実際に写真としてプリントアウトされる前にこの画像を表示部１０５上で確認することができる。特に、ＲＡＭ１０１−５に複数の画像を格納し、これら複数の画像を表示部１０５等に表示することで、利用者は、表示部１０５上で気に入った写真を選択してプリントアウトすることができる。なお、ここでの編集とは、切り出す範囲の指定や拡大縮小率の変更に限り、画像自体に手を加えることはできないものとする。
【００５３】
ＲＡＭ１０１−５は、画像処理を施していないカメラ１０２で撮像されたそのままの画像を、表示部１０５等で利用者に編集させる為に保存する。
【００５４】
無修正情報生成／出力部１０１−６は、この証明写真機で撮像してプリントした写真が無修正写真であることを示す情報を生成及び出力する。具体的には、図８に示したような正規証明写真を発行するのに必要な情報（正規証明写真であることを証する文字情報など）が生成及び出力される。
【００５５】
カメラブロック移動制御インタフェース部１０１−７は、カメラブロック移動制御部１０６とのインタフェースを司る。
【００５６】
発光素子（ＬＥＤ）制御部１０１−８は、カメラブロック１０００に配設された発光素子（ＬＥＤ）１０４の発光を制御する。
【００５７】
表示（ＬＣＤ）制御部１０１−９は、表示部１０５や操作部２１の表示部等の表示を制御する。
【００５８】
課金制御部１０１−１０は、現金処理部１０８の処理を制御し、投入された硬化および紙幣の確認やお釣り等の課金に関する制御を行なう。
【００５９】
主制御部１０１−１１は、上述した各構成要素（１０１−１乃至１０１−１０）を統括的に制御する。
【００６０】
さて、このような証明写真機１００において、利用者が無修正証明情報付きの証明写真をプリントアウトするまでの一連の処理の流れについて説明しておく。
【００６１】
図６は、上述の証明写真機１００において、利用者が無修正証明情報付きの証明写真をプリントアウトするまでの一連の処理の流れを示すフローチャートである。
【００６２】
図６において、まず、利用者が利用開始する為にユーザインタフェース部１０に具わる利用開始ボタン等を押下操作すると、アナウンス部１２（図１参照）を介し利用者に対して利用工程の手順等が通知される（ステップＳ１０１）。
【００６３】
その後、利用者が上記通知されたアナウンスに従って、操作部１１或いは操作部２１を用いて、自己の身長（座高高さ）に合わせたカメラ位置の調整操作を行なう（ステップＳ１０２）。具体的に、利用者は、図７（ａ）に示すハーフミラー１８越しの撮像枠Ｃにハーフミラー１８上に映る自身の像が図７（ｂ）の上方に示したように適切におさまるようにカメラ位置（即ち、カメラブロックの移動に合わせて撮像枠Ｃの位置）を調整する。尚、図７（ａ）に示す撮像枠Ｃは、図４に示した撮像枠空間面Ｎの部分に相当し、カメラブロック１０００のカメラ１０２が利用者を撮像する為に該カメラブロック１０００に設けられた撮像スペースに略一致した枠である。
【００６４】
カメラ位置調整後、利用者が所定の現金投入口（紙幣投入口１３或いは硬化投入口１５）から現金を投入する（ステップＳ１０３）。
【００６５】
現金投入後、利用者が発行素子（ＬＥＤ）１０４を見て目線を調整し（ステップＳ１０４）、ユーザインタフェース部１０に具わる撮影開始ボタン等を押下して撮影を開始する（ステップＳ１０５）。
【００６６】
すると、証明写真機１００側では、撮影した映像を表示部１０３に表示する（ステップＳ１０６）。
【００６７】
これにより、利用者が表示された映像をチェックして、その画像で印刷しても良ければ（ステップＳ１０７ＹＥＳ）、ユーザインタフェース部１０に具わる印刷実行ボタンを押下して印刷実行を指示する（ステップＳ１０８）。すると、所望の画像がプリントアウトされ、利用者が図８に示すような証明写真を取得する（ステップＳ１０９）
。そして、この処理が終了される。
【００６８】
また、他方、上記ステップＳ１０６の処理にて表示された映像をチェックして、利用者が表示された画像が気に入らなければ（ステップＳ１０７ＮＯ）、ユーザインタフェース部１０に具わるボタンを用いて所定のキャンセル操作を行って撮り直し処理を行う。即ち、上記ステップＳ１０５の処理に戻って以下同様の処理を行なう。
【００６９】
尚、上述したステップＳ１０２の処理では、利用者がハーフミラー１８越しの撮像枠Ｃにハーフミラー１８上に映る自身の像が適切におさまるようにカメラ位置を調整しているが、これ以外に、例えば、上記ステップＳ１０１の処理で、利用者により利用開始ボタンが押下された場合に所定の間隔でカメラにて利用者の映像を取得し、その映像を操作部１１或いは操作部２１の表示部上に表示させることにより、利用者がその映像を見てカメラ位置を調整するようにしても良い。
【００７０】
また、上述してきた実施例では、病院等に設置される場合を例に示したが、これに限らず、駅構内やショッピングセンター等の屋内若しくは屋外に設置するようにしても良く。また、コンビニエンスストア等の近くに設置するようにしても良い。
【００７１】
更に、上述してきた実施例では、図８に示したような証明写真を撮る場合を例に示したが、これに限らず、通常の利用者の画像のみを印刷する形態にしても良い。
【００７２】
【発明の効果】
以上説明したように、本発明によれば、１つの撮像装置が故障しても他方の撮像装置を利用でき、保守者がくるまで運用をバックアップすることができる。また、従来のように、同じ撮像装置を２台並設するよりも小さなスペースで実現することができる。また、足が不自由で車椅子を使う利用者でも容易に証明写真を撮ることができる。また、利用者は利き腕に合わせて各種操作を容易に行なえると共に、手に障害を持つ患者にとっては、利用可能な手に合わせて利用する撮像装置を選択することにより、各種操作を容易に行なえる。
【図面の簡単な説明】
【図１】本発明に係わる自動撮像装置を適用した証明写真機の一構成例を示す図。
【図２】図１に示した証明写真機を天井側から見た様子を示す図。
【図３】図１及び図２に示した撮像装置本体収納筐体の内部構成、即ち撮像装置（Ａ）及び（Ｂ）それぞれの内部構成を主に示す図。
【図４】図３に示したカメラブロックの上下動の移動に係わるカメラブロック移動機構部分を主に示した図。
【図５】図３に示した制御装置の一構成例を示す機能ブロック図。
【図６】利用者が無修正証明情報付きの証明写真をプリントアウトするまでの一連の処理の流れを示すフローチャート。
【図７】カメラ位置を調整する際にモニタ上に表示される利用者の映像を示す図。
【図８】プリンタに印刷される正規証明写真の一例を示す図。
【符号の説明】
１００　証明写真機
１　撮像装置本体収納筐体
１０　ユーザインタフェース部
１１　操作部
１２　アナウンス部
１３　紙幣投入口
１４　返却レバー
１５　硬化投入口
１６　プリント写真取り出し口
１７　釣銭取り出し口
１８　ハーフミラー
１９　照明部
２０　椅子機構部
２１　操作部
３０　屋根部
３１　カーテン
Ａ　車椅子
１０１　制御装置
１０２　カメラ
１０３　反射ミラー
１０４　発行素子（ＬＥＤ）
１０５　表示部（ＬＣＤ）
１０６　カメラブロック移動制御部
１０７　プリンタ
１０８　現金処理部
１０９　電源部
１１０　プラグ部
１０００　カメラブロック
１００２　ガイドレール
１００３　下端ロープ指示／張力制御部
１００４ａ，１００４ｂ　ワイヤーロープ
１００５　ガイドローラユニット
Ｙ　カメラブロック昇降室
Ｚ　カメラブロック機械室
１０１−１　カメラ制御部
１０１−２　ユーザインタフェース制御部
１０１−３　プリンタ制御部
１０１−４　画像処理部
１０１−５　ＲＡＭ
１０１−６　無修正情報生成／出力部
１０１−７　カメラブロック移動制御部
１０１−８　発光（ＬＥＤ）制御部
１０１−９　表示（ＬＣＤ）制御部
１０１−１０　課金制御部
１０１−１１　主制御部
【図１】
2004053660.tif 000003
【図２】
2004053660.tif 000004
【図３】
2004053660.tif 000005
【図４】
2004053660.tif 000006
【図５】
2004053660.tif 000007
【図６】
2004053660.tif 000008
【図７】
2004053660.tif 000009
【図８】
2004053660.tif 000010